(57)【要約】      （修正有）【課題】水滴又は油滴が落下する危険性を防止する蛇腹装置の提供。【解決手段】左側垂直シート部２８ａと、右側垂直シート部２８ｂと、左側は上記左側垂直シート部と連続し右側は上記右側垂直シート部と連続してなる水平シート部２８ｃとを有してなるとともに山部と谷部とが伸縮方向に交互に形成されてなる蛇腹シート２８と、この蛇腹シート２８の内側であって上記左垂直シート部に形成された山部に対応した位置に左側部が固定されてなる左側垂直板部２９ａと、上記右側垂直シート部に形成された山部に対応した位置に右側部が固定された右側垂直板部２９ｂと、上記水平シート部に形成された山部に対応した位置に固定された水平板部２９ｃと、を有してなる支持板２９とを備え、左側垂直板部２９ａの左側部には、左側切欠き部２９ｅが形成され、右側垂直板部２９ｂの右側部には、右側切欠き部２９ｆが形成されてなる。【選択図】図７
2005291222.tif 000002
【特許請求の範囲】
【請求項１】
左側垂直シート部と、右側垂直シート部と、左側は上記左側垂直シート部と連続し右側は上記右側垂直シート部と連続してなる水平シート部とを有してなるとともに山部と谷部とが伸縮方向に交互に形成されてなる蛇腹シートと、
この蛇腹シートの内側であって上記左垂直シート部に形成された山部に対応した位置に左側部が固定されてなる左側垂直板部と、上記右側垂直シート部に形成された山部に対応した位置に右側部が固定されてなる右側垂直板部と、上記水平シート部に形成された山部に対応した位置に固定されてなる水平板部と、を有してなる支持板とを備えてなる蛇腹装置であって、
上記支持板を構成する上記左側垂直板部の左側部には、左側切欠き部が形成されてなるとともに、該支持板を構成する上記右側垂直板部の右側部には、右側切欠き部が形成されてなることを特徴とする蛇腹装置。
【請求項２】
左側垂直シート部と、右側垂直シート部と、左側は上記左側垂直シート部と連続し右側は上記右側垂直シート部と連続してなる水平シート部とを有してなるとともに山部と谷部とが伸縮方向に交互に形成されてなる蛇腹シートと、
この蛇腹シートの内側であって上記左垂直シート部に形成された山部に対応した位置に左側部が固定されてなる左側垂直板部と、上記右側垂直シート部に形成された山部に対応した位置に右側部が固定されてなる右側垂直板部と、上記水平シート部に形成された山部に対応した位置に固定されてなる水平板部と、を有してなる支持板とを備えてなる蛇腹装置であって、
上記支持板を構成する左側垂直板部と水平板部とにより形成された左側角部には左鉤状切欠き部が鉤状に形成されてなるとともに、該支持板を構成する右側垂直板部と水平板部とにより形成された右側角部には右鉤切欠き部が鉤状に形成されてなり、上記左側切欠き部と蛇腹シートとの間、及び上記右側切欠き部と蛇腹シートとの間には、それぞれ空間が形成されてなることを特徴とする蛇腹装置。
【請求項３】
前記蛇腹シートの内側には、
左側垂直シート部と、右側垂直シート部と、左側は上記左側垂直シート部と連続し右側は上記右側垂直シート部と連続してなる水平シート部とを有してなるとともに山部と谷部とが伸縮方向に交互に形成されてなる内側蛇腹シートが伸縮自在に固定されてなり、この内側蛇腹シートの下端は、前記蛇腹シートの下端よりも上方に位置してなることを特徴とする請求項１又は２記載の何れかの蛇腹装置。
【請求項４】
前記内側蛇腹シートは、前記蛇腹シートに対して、前記水平シート部が傾斜した状態で固定されてなることを特徴とする請求項３記載の蛇腹装置。
【請求項５】
前記内側蛇腹シートの正面側及び背面側には、それぞれ固定板が固定されてなり、該内側蛇腹シートは、これらの固定板と前記支持板との固定により、該支持板に支持されてなることを特徴とする請求項３又は４記載の何れかの蛇腹装置。
【発明の詳細な説明】
【技術分野】
【０００１】
本発明は、伸縮自在とされた蛇腹装置に関し、特に、ワークを切削，穴あけ，切断等をする際に切削水又は切削油等の流体を供給しながら加工を行う工作機械等に組み込まれる蛇腹装置に関するものである。
【背景技術】
【０００２】
これまでワークを切削等する工作機械には、該ワークが載置固定される駆動テーブルと、この駆動テーブルを左右及び／又は前後に高精度に移動させる駆動装置と、上記テーブル上に載置固定されたワークを切削し又は切断等する刃物とを備えている。また、こうした工作機械には、上記刃物により切削等されるワーク上に切削水又は切削油等の流体を供給するノズルが配置されているタイプのものがある。したがって、こうしたノズルが配置されたタイプの工作機械では、上記テーブル上のワークに供給された切削水等の流体を受ける廃液トレーや、上記各駆動装置或いは各種の電気コードやその端子等を保護する蛇腹装置が配設されている（特許文献１参照）。
【０００３】
そして、上記特許文献１に開示された蛇腹装置は、一端が上記廃液トレーの一端側に固定され他端は上記駆動テーブルの一側面に固定された一方の蛇腹装置と、一端は上記駆動テーブルの他側面に固定され他端は廃液トレーの他端側に固定された他方の蛇腹装置とから構成されている。そして、これら一方及び他方の蛇腹装置の左右両側の下端側は、上記廃液トレー内に収容された切削水等の流体内に水没している。したがって、上記駆動テーブルが上記駆動装置の駆動により、一方向に駆動すると、上記一方の蛇腹装置は伸長又は縮小されるとともに他方の蛇腹装置は縮小又は伸長され、該駆動テーブルが他方向に駆動すると、それまで伸長されていた一方の蛇腹装置は縮小されるとともにそれまで縮小されていた他方の蛇腹装置は伸長される。
【発明の開示】
【発明が解決しようとする課題】
【０００４】
ところで、上記廃液トレーは、左右に長さを有し、中央には長方形状の開口が形成されており、この開口の下側には、上記駆動テーブルを駆動する駆動装置が配置されてなるとともに、各種の電気コードが配線されており、上記一方及び他方の蛇腹装置は、この駆動装置や電気コードを切削水等から保護している。
【０００５】
しかしながら、上述した従来の（一方及び他方の）蛇腹装置では、上述したように、駆動装置の駆動により伸縮を繰り返すことにより、切削水等が毛細管現象により徐々に上昇し、水滴又は油滴となって上記駆動装置や電気コードに落下し、場合によっては、上記工作機械が設置されている床を汚損する場合がある。そして、上記駆動装置に落下した場合には、該水滴等に含まれた切削粉等が該駆動装置の精度に悪影響を与え、また、電気コードの端子に付着した場合には、ショートする原因の一つになりかねない。特に、上記蛇腹装置の内側に支持板が固定されている場合には、この支持板と該蛇腹装置を構成する蛇腹シートとにより形成された狭い空間を伝わって、上記切削水等が上昇し易く、また、上記駆動装置により駆動テーブルが高速で駆動し、上記（一方及び他方の）蛇腹装置が高速で伸縮動作する場合には、より伸縮する蛇腹シートが言わばポンプの如き作用をすることにより、一層切削水等が該蛇腹装置の内側を上昇する危険性が高い。
【０００６】
そこで、本発明は、上述した従来の蛇腹装置が有する課題を解決するために提案されたものであって、切削水や切削油が内側から上昇し、水滴又は油滴となって落下する危険性を有効に防止することができる新規な蛇腹装置を提供することを目的とするものである。
【課題を解決するための手段】
【０００７】
上述した目的を達成するため、本発明（請求項１記載の発明）は、左側垂直シート部と、右側垂直シート部と、左側は上記左側垂直シート部と連続し右側は上記右側垂直シート部と連続してなる水平シート部とを有してなるとともに山部と谷部とが伸縮方向に交互に形成されてなる蛇腹シートと、この蛇腹シートの内側であって上記左垂直シート部に形成された山部に対応した位置に左側部が固定されてなる左側垂直板部と、上記右側垂直シート部に形成された山部に対応した位置に右側部が固定されてなる右側垂直板部と、上記水平シート部に形成された山部に対応した位置に固定されてなる水平板部と、を有してなる支持板とを備えてなる蛇腹装置であって、上記支持板を構成する上記左側垂直板部の左側部には、左側切欠き部が形成されてなるとともに、該支持板を構成する上記右側垂直板部の右側部には、右側切欠き部が形成されてなることを特徴とするものである。
【０００８】
上記第１の発明を構成する蛇腹シートは、上記左側垂直シート部と、右側垂直シート部と、水平シートとを有し、それぞれ山部と谷部とが伸縮方向に交互に形成されているものであれば、特にその素材が限定されるものではない。また、上記山部と谷部との間隔或いは幅が限定されるものではない。また、上記支持板に関しても、その素材が限定されるものではなく、さらには、上記蛇腹シートに形成された山部の全てに固定されている必要はない。また、上記蛇腹シートと支持板とは、それぞれの素材を熱可塑性樹脂により成形し、それぞれを加熱し溶着したものでも良い。また、この第１の発明を構成する左側切欠き部や右側切欠き部は、左側垂直板部又は右側垂直板部の外側から水平方向に形成されたものであっても、傾斜する方向に形成されたものであっても良い。
【０００９】
また、第２の発明（請求項２記載の発明）は、左側垂直シート部と、右側垂直シート部と、左側は上記左側垂直シート部と連続し右側は上記右側垂直シート部と連続してなる水平シートとを有してなるとともに山部と谷部とが伸縮方向に交互に形成されてなる蛇腹シートと、この蛇腹シートの内側であって上記左垂直シート部に形成された山部に対応した位置に左側部が固定されてなる左側垂直板部と、上記右側垂直シート部に形成された山部に対応した位置に右側部が固定されてなる右側垂直板部と、上記水平シート部に形成された山部に対応した位置に固定されてなる水平板部と、を有してなる支持板とを備えてなる蛇腹装置であって、上記支持板を構成する左側垂直板部と水平板部とにより形成された左側角部には左鉤状切欠き部が鉤状に形成されてなるとともに、該支持板を構成する右側垂直板部と水平板部とにより形成された右側角部には右鉤切欠き部が鉤状に形成されてなり、上記左側切欠き部と蛇腹シートとの間、及び上記右側切欠き部と蛇腹シートとの間には、それぞれ空間が形成されてなることを特徴とするものである。
【００１０】
この第２の発明を構成する左鉤状切欠き部は、支持板を構成する左側垂直板部と水平板部とにより形成された左側角部から下方及び水平方向に形成されたものであり、また、上記右鉤状切欠き部は、支持板を構成する右側垂直板部と水平板部とにより形成された右側角部から下方及び水平方向に形成されたものである。そして、この第２の発明では、これら左鉤状切欠き部と右鉤状切欠き部が形成された部位では、蛇腹シートと支持板とは固定されておらず、空間が形成されている必要がある。
【００１１】
また、第３の発明（請求項３記載の発明）は、上記第１又は第２の発明において、前記蛇腹シートの内側には、左側垂直シート部と、右側垂直シート部と、左側は上記左側垂直シート部と連続し右側は上記右側垂直シート部と連続してなる水平シート部とを有してなるとともに山部と谷部とが伸縮方向に交互に形成されてなる内側蛇腹シートが伸縮自在に固定されてなり、この内側蛇腹シートの下端は、前記蛇腹シートの下端よりも上方に位置してなることを特徴とするものである。
【００１２】
この第３の発明では、第１又は第２の発明である蛇腹装置に、さらに内側蛇腹シートが固定されてなるものであり、この内側蛇腹シートの下端は、前記蛇腹シートの下端よりも上方に位置していることが必要である。この内側蛇腹シートの下端は、切削水や切削油に接触しない位置であることが好ましい。なお、この内側蛇腹シートは、伸縮方向に複数固定されてなるのもであっても良い。
【００１３】
また、第４の発明（請求項４記載の発明）は、上記第３の発明において、前記内側蛇腹シートは、前記蛇腹シートに対して、前記水平シート部が傾斜した状態で固定されてなることを特徴とするものである。
【００１４】
この第４の発明を構成する内側蛇腹シートの水平シート部の傾斜角度は特に限定されるものではないが、必ずしも、内側蛇腹シート全体が傾斜している必要性はなく、内側シート部のみが傾斜し、左側垂直シート部や右側垂直シート部は傾斜していないものであっても良い。
【００１５】
また、第５の発明（請求項５記載の発明）は、上記第３又は第４の何れかの発明において、前記内側蛇腹シートの正面側及び背面側には、それぞれ固定板が固定されてなり、該内側蛇腹シートは、これらの固定板と前記支持板との固定により、該支持板に支持されてなることを特徴とするものである。
【発明の効果】
【００１６】
上記第１の発明（請求項１記載の発明）では、支持板を構成する上記左側垂直板部の左側部には、左側切欠き部が形成されてなるとともに、該支持板を構成する上記右側垂直板部の右側部には、右側切欠き部が形成されてなることから、工作機械で使用された切削水や切削油が、毛細管現象により上昇した場合であっても、これら左側又は右側切欠き部により遮断され、それ以上上昇することを防止することができ、該切削水等が水滴又は油滴となって落下し、工作機械を構成する駆動装置の精度に悪影響を与え、或いは、電気コード又はそれらの端子に切削水が付着することによるショートや、床上の汚損を有効に防止することができる。
【００１７】
また、第２の発明（請求項２記載の発明）では、支持板を構成する左側垂直板部と水平板部とにより形成された左側角部には左鉤状切欠き部が鉤状に形成されてなるとともに、該支持板を構成する右側垂直板部と水平板部とにより形成された右側角部には右鉤切欠き部が鉤状に形成されてなり、上記左側切欠き部と蛇腹シートとの間、及び上記右側切欠き部と蛇腹シートとの間には、それぞれ空間が形成されてなることから、やはり、これら左側又は右側鉤状切欠き部により遮断され、水平シート部に移動することがなく、該切削水等が水滴又は油滴となって落下し、工作機械を構成する駆動装置の精度に悪影響を与え、或いは、電気コード又はそれらの端子に切削水が付着することによるショートや、床上の汚損を有効に防止することができる。
【００１８】
また、第３の発明（請求項３記載の発明）では、蛇腹シートの内側には、内側蛇腹シートが伸縮自在に固定されてなり、この内側蛇腹シートの下端は、前記蛇腹シートの下端よりも上方に位置してなることから、たとえ上記蛇腹シートの内側に切削水等が上昇し、該蛇腹シートの水平シート部から切削水等が水滴となって落下した場合であって、この内側蛇腹シートにより、駆動装置や電気コード等を有効に保護することができる。
【００１９】
また、第４の発明（請求項４記載の発明）では、内側蛇腹シートは、前記蛇腹シートに対して、前記水平シート部が傾斜した状態で固定されてなることから、（外側の）蛇腹シートから落下した水滴等は、この内側蛇腹シートの水平シート部から傾斜方向に流れ、やはり、工作機械を構成する駆動装置の精度に悪影響を与え、或いは、電気コード又はそれらの端子に切削水が付着することによるショートや、床上の汚損を有効に防止することができる。
【００２０】
また、第５の発明（請求項５記載の発明）では、内側蛇腹シートの正面側及び背面側には、それぞれ固定板が固定されてなり、該内側蛇腹シートは、これらの固定板と前記支持板との固定により、該支持板に支持されてなることから、製造上、先ず、蛇腹シートと支持板とを固定し、その後に、上述した構成に係る内側蛇腹シートを固定することができる。
【発明を実施するための最良の形態】
【００２１】
以下、本発明を実施するための最良の形態に係る蛇腹装置を、図面を参照しながら詳細に説明する。
【００２２】
この蛇腹装置２０，２１は、図１に示すように、工作機械２にそれぞれ配置されるものである。そこで、先ず、この工作機械２について簡単に説明した後に、蛇腹装置１について詳細に説明する。この工作機械２は、駆動テーブル３と、この駆動テーブル３を左右に駆動する駆動装置１２が構成要素とされている。上記駆動テーブル３は、円盤状に成形されてなるものであり、上方に開口を有するボックス４内に固定され、このボックス４の一側面には、後述する蛇腹装置１を固定するための一方の固定金具５が固定され、他側面には、他方の固定金具６が固定されている。また、このボックス４は、円柱状に成形された支軸７を介してスライド部材８に支持されている。なお、このスライド部材８の下面には、後述する一方及び他方のスライドガイド部材１５，１６が挿通されるガイド溝（符号は省略する。）が形成されている。また、上記工作機械２には、図示しないノズルから上記駆動テーブル３上に供給され切削の際に該駆動テーブル３上から流れた廃液が収容される廃液プレート１０が構成要素となされている。この廃液プレート１０は、略長方形状に成形されてなるものであり、中央には開口１０ａが形成され、外周には外側起立部１０ｂが形成され、内周には、内側起立部１０ｃが形成されている。なお、この廃液プレート１０を構成する底板部１０ｄには、ドレン管１１に接続された排出口１０ｅが形成されている。
【００２３】
そして、上記廃液プレート１０に形成された上記開口１０ａの下方には、上記駆動装置１２が配置されている。この駆動装置１２は、外周にネジ（符号は省略する。）が螺刻された回動軸１３と、この回動軸１３を時計正転方向及び逆転方向に回転駆動させるモータ１４とから構成されておいる。また、上記回動軸１３の左右両側には、一方のスライドガイド部材１５と、他方のスライドガイド部材１６が互いに面対向した状態で配置されている。したがって、上記駆動装置１２を構成するモータ１４が駆動し、回動軸１３が正転又は逆転させられると、上記駆動テーブル３は、上記一方及び他方のスライドガイド部材１５，１６にガイドされながら、該一方及び他方のスライドガイド部材１５，１６の長さ方向（回動軸１３の長さ方向）に駆動する。
【００２４】
また、上記廃液プレート１０を構成する上記内側起立部１０ｃには、上記一方の固定金具５に対向する位置に一方のプレート側固定金具１８が固定され、上記他方の固定金具６に対向する位置には、他方のプレート側固定金具１９が固定されている。そして、上記一方の固定金具５と一方のプレート側固定金具１８との間には、第１の蛇腹装置２０が固定され、上記他方の固定金具６と他方のプレート側固定金具１９との間には、第２の蛇腹装置２１が固定されている。なお、これら第１及び第２の蛇腹装置２０，２１の基本構成はそれぞれ同一であることから、以下、上記第１の蛇腹装置２０について詳細に説明する。
【００２５】
この第１の蛇腹装置（以下、蛇腹装置という）２０は、図２に示すように、正面には、上記一方のプレート側固定金具１８に固定される一方の固定板２２が固定され、背面には、上記一方の固定金具５に固定される他方の固定板２３が固定されてなるとともに、上部には多数の保護プレート２４が固定されている。なお、これらの固定プレート２４は、後述する蛇腹シートの上面を構成し、山部と谷部とが交互に多数形成されてなる水平シート部の該山部にそれぞれ基端が固定されて、先端側は自由端とされてなる。また、これらの保護プレート２４は、正面側に固定された特定の保護プレート２４の基端側上に、該特定の保護プレートの背面側に固定された他の保護プレートの先端側が位置するように順次配置されてなるものであり、該蛇腹装置２０が縮小されると、それぞれの先端が近接し、伸長されることにより離間するよう構成されている。
【００２６】
また、この蛇腹装置２０は、図３に示すように、内側には、第１乃至第３の内側蛇腹シート３１，３２，３３が固定されている。そこで、以下、これら第１乃至第３の内側蛇腹シート３１，３２，３３を除いた蛇腹装置２０の構成について説明し、その後に、上記内側蛇腹シート２６について説明する。これらの内側蛇腹シート２６を除いた蛇腹装置２０は、図４に示すように、蛇腹シート２８と、この蛇腹シート２８の内側に固定された多数の支持板２９とを備えている。上記蛇腹シート２８は、単層又は複数層からなる合成樹脂シート（符号は省略する。）が折曲されてなるものであり、左側には、左垂直シート部２８ａと、この左垂直シート部２８ａと同一形状となされた右垂直シート部２８ｂと、左側は上記左垂直シート部２８ａに連続し右側は上記右垂直シート部２８ｂと連続してなる水平シート部２８ｃとから構成され、各左垂直シート部２８ａ，右垂直シート部２８ｂ及び水平シート部２８ｃのそれぞれには、山部２８ｄと谷部２８ｅとが交互に形成されている。
【００２７】
そして、上記支持板２９は、図５に示すように、このように構成された上記蛇腹シート２８の内側であって、各山部２８ｄに対応した位置に溶着されている。これら各支持板２９は、上記左垂直シート部２８ｂに形成された各山部２８ａに左側が溶着されている左側垂直板部２９ａと、上記右側垂直シート部２８に形成された山部２８ｄに対応した位置に右側が固定されてなる右側垂直板部２９ｂと、上記水平シート部２８ｃに形成された山部２８ｄに対応した位置に固定されてなる水平板部２９ｃとから構成されている。そして、上記左側垂直板部２９ａの下端側中途部には、本発明を構成する左側切欠き部２９ｅが形成され、また、上記右側垂直板部２９ｂの下端側中途部には、右側切欠き部２９ｆが形成されている。上記左側切欠き部２９ｅは、上記左側垂直板部２９ａの外側から内側にかけて徐々に下方に傾斜してなるものであり、また、上記右側切欠き部２９ｅは、上記右側垂直板部２９ｃの外側から内側にかけて徐々に下方に傾斜してなるものである。また、上記支持板２９を構成する上記左側垂直板部２９ａと水平板部２９ｃとにより形成された左角部には、左側鉤状切欠き部２９ｇが形成され、また、上記右側垂直板部２９ｂと水平板部２９ｃとにより形成された右角部には、右側鉤状切欠き部２９ｈが形成されている。上記左側鉤状切欠き部２９ｇは、垂直方向がやや水平方向よりも長いものとなされ、上記右側鉤状切欠き部２９ｈにおいても、垂直方向が水平方向よりもやや長いものとされている。なお、この実施の形態においては、さらに、上記支持板２９を構成する上記左側垂直板部２９ａの下端の外側には、左垂直切欠き部２９ｉが形成され、また、上記右側垂直板部２９ｂの下端の外側には、右垂直切欠き部２９ｊが形成されている。したがって、上記蛇腹シート２８と上記支持板２９とは、上記左側切欠き部２９ｅ，右側切欠き部２９ｆ，左側鉤状切欠き部２９ｇ，右側鉤状切欠き部２９ｈ，左垂直切欠き部２９ｉ及び上記右垂直切欠き部２９ｊが形成された位置では溶着されておらず、該蛇腹シート２８の内側面と支持板２９の外側端との間に空間が形成されている。なお、上記各支持板２９を構成する上記水平板部２９ｃの下端には、上記蛇腹シート２８の全長に亘って、この蛇腹装置２０の伸長長さを規制する制限テープ３０が固定されている。
【００２８】
そして、上述した構成に係る各支持板２９の下方（蛇腹シート２８の内側）には、図３に示すように、第１乃至第３の内側蛇腹シート３１，３２，３３が固定されている。これら第１乃至第３の内側蛇腹シート３１，３２，３３は、それぞれシート状の軟質樹脂からなるものであり、図６に示すように、左垂直シート部３１ａ，３２ａ，３３ａと、右側垂直シート部３１ｂ，３２ｂ，３３ｂと、左側が上記左垂直シート部３１ａ，３２ａ，３３ａに連続し右側は上記右側垂直シート部３１ｂ，３２ｂ，３３ｂに連続してなる水平シート部（第２及び第３の内側蛇腹シート３２，３３を構成する水平シート部は図示しない。）３１ｃ（図７参照）とから構成され、該左垂直シート部３１ａ，３２ａ，３３ａ及び右側垂直シート部３１ｂ，３２ｂ，３３ｂ並びに水平シート部３１ｃには、それぞれ山部３１ｄ，３２ｄ，３３ｄ及び谷部３１ｅ，３２ｅ，３３ｅが交互に形成されている。
【００２９】
そして、上記第１の内側蛇腹シート３１と第２の内側蛇腹シート３２とは、第１の中間板３５を介して、該第１の中間板３５に対してそれぞれやや斜めに接続され、また、上記第２の内側蛇腹シート３２と第３の内側蛇腹シート３３とは、第２の中間板３６を介して、該第２の中間板３６に対してやや斜めに接続されている。そして、上記第１の中間板３５（及び第２の中間板３６）は、上記多数の支持板２９のうちで所定の支持板２９に水平に固定されている。すなわち、図７に示すように、上記第１の内側蛇腹シート３１（並びに第２及び第３の内側蛇腹シート３２，３３）は、上記支持板２９に対して、（本実施の形態に係る蛇腹装置２０では）左側が低くなるように傾斜した状態で固定されている。なお、上記第１の内側蛇腹シート３１（並びに第２及び第３の内側蛇腹シート３２，３３）の下端位置は、上記蛇腹シート２８の下端位置よりもやや上方に位置してなるものであり、前述した工作機械２の廃液プレート１０内に収容される切削水に漬からないように構成されている。
【００３０】
したがって、上述した第１及び第２の蛇腹装置２０，２１によれば、上記駆動装置１２を構成するモータ１４の駆動に伴う上記駆動テーブル３の移動により、それぞれ伸縮動作するとともに、上記廃液プレート１０内に収容され切削粉を含んだ切削水が、毛細管現象により、上記蛇腹シート２０を構成する左垂直シート部２８ａと支持板２９の左側垂直板部２９ａ、或いは、上記右垂直シート部２８ｂと右側垂直板部２９ｂとにより形成された狭い空間を上昇したとしても、上記左側切欠き部２９ｅや右側切欠き部２９ｆにより遮断され、これらの位置よりも上昇することがない。さらに、この切削水がさらに上昇した場合であっても、上記左側鉤状切欠き部２９ｇや右側鉤状切欠き部２９ｈの形成位置で遮断される。したがって、これらの蛇腹装置２０，２１によれば、上昇した切削水が水滴となって上記廃液プレート１０の内側に落下し、上記駆動装置１２を構成する回動軸１３に付着し、該駆動装置１０の精度に悪影響を与えることを防止することができる。また、こうした切削水が、上記蛇腹装置２０，２１の内側に配線された電気コードやその端子に付着しショートする危険性や、さらには、上記工作機械２が設置された床面を汚損することも防止することができる。さらに、上記各蛇腹装置２０，２１では、内側蛇腹シート３１，３２，３３が傾斜した状態で固定されていることから、たとえ上昇した切削水が蛇腹シート２８を構成する水平シート部２８ｃから落下したとしても、該内側蛇腹シート３１，３２，３３の上面で受け、（本実施の形態では）左側に導くことができるので、より一層切削水による上述した種々の悪影響の発生を防止することができる。さらに、上記第１乃至第３の内側蛇腹シート３１，３２，３３は、第１及び第２の中間板３５，３６により一体化され、上記所定の支持板２９に固定されてなるものであることから、該内側蛇腹シート３１，３２，３３を上記第１及び第２の中間板３５，３６により固定した後に、上記支持板２９に固定することができるので製造上にいても簡便となる。
【００３１】
なお、上記実施の形態に係る蛇腹装置２０，２１では、本発明を構成する左側切欠き部及び右側切欠き部が、支持板２９の内側方向にかけて徐々に低くなるように傾斜してなるが、本発明では必ずしも傾斜させることなく、水平又は内側にかけて徐々に上昇するよう傾斜してなるものであっても良い。また、上記実施の形態では、本発明を構成する内側蛇腹シートをして、第１乃至第３の内側蛇腹シート３１，３２，３３を構成要素としたが、この内側蛇腹シートの数も特に限定されるものではない。
【図面の簡単な説明】
【００３２】
【図１】工作機械と蛇腹装置とを分解した斜視図である。
【図２】第１の蛇腹装置の外観を示す斜視図である。
【図３】第１の蛇腹装置を反転した状態を示す斜視図である。
【図４】第１乃至第３の内側蛇腹シート並びに第１及び第２の中間板を取り除いた後の蛇腹装置であって該蛇腹装置を反転した状態を示す斜視図である。
【図５】図４に示す蛇腹装置の正断面図である。
【図６】第１乃至第３の内側蛇腹シートと第１及び第２の中間板とを反転した状態を示す分解斜視図である。
【図７】蛇腹装置の正断面図である。
【符号の説明】
【００３３】
２０    第１の蛇腹装置
２１    第２の蛇腹装置
２８    蛇腹シート
２８ａ    左垂直シート部
２８ｂ    右垂直シート部
２８ｃ    水平シート部
２８ｄ    山部
２８ｅ    谷部
２９    支持板
２９ａ    左側垂直板部
２９ｂ    右側垂直板部
２９ｃ    水平板部
２９ｅ    左側切欠き部
２９ｆ    右側切欠き部
２９ｇ    左側鉤状切欠き部
２９ｈ    右側鉤状切欠き部
３１    第１の内側蛇腹シート
３２    第２の内側蛇腹シート
３３    第３の内側蛇腹シート
【図１】
2005291222.tif 000003
【図２】
2005291222.tif 000004
【図３】
2005291222.tif 000005
【図４】
2005291222.tif 000006
【図５】
2005291222.tif 000007
【図６】
2005291222.tif 000008
【図７】
2005291222.tif 000009